(57)【要約】      （修正有）【課題】擦弦楽器駒の感度を向上させて、全音域での音量斑を最小限にする。【解決手段】従来の擦弦楽器駒の裏面側へ、魂柱Ａという昔の「レコード針」のような部品を用い、これに接続する力木Ｄ、力木Ｆ、等の振動伝達部材との連接構造により、弦受け部３（レコード）の最も強い振動を、魂柱Ａ、力木Ｄ等の振動伝達部材（針）から、各部品を介して、擦弦楽器の駒足２から最終的には振動板（スピーカー）まで振動伝達をする。【選択図】図１２
2019109449.tif 000002
【特許請求の範囲】
【請求項１】
擦弦楽器駒の裏面を使用し、その弦受け部３より下位置の中央にはハート型の穴１を有し、この穴１の上辺には突起Ｂを有し、前記突起Ｂ先端から、その延長先の駒部分中央下部近くまで溝Ｃを掘り、前記突起Ｂ先端から前記溝Ｃ下辺部分との間に立てる部材を魂柱Ａと呼び、力木Ｄは、その中央部に前記魂柱Ａ下部と前記溝Ｃ下部等とを組合わせる接続部を有し、その長さは両駒足２位置までの形状にして、また、駒足２が長いチェロ駒の場合は、前記力木Ｄの両端それぞれの位置へ力木Ｆ二本を接続して、前記魂柱Ａは、その先端を前記突起Ｂ先端と接続し、末端を前記力木Ｄの中央接続部へ確実に接続させて、前記溝Ｃ下辺部分には可能な限り接続して、上述の接続部以外には接触しないで使用する部材であり、
更に、棒状の前記魂柱Ａの背部に対して縦木目に設置する垂直翼Ｅは、使用駒の大きさに合わせた適当大で、前記魂柱Ａ背部該当位置へ、その底辺を接着し、他の部材には接触しない構造のため、この二点接着状態を一部品として用い、
前記一部品としての前記魂柱Ａを、上述の位置へ設置する使用方法により、上記一部品からの駒振動を前記力木Ｄ・前記力木Ｆ等を介して、両駒足２下部付近にまで直接に伝達する、駒振動の新伝達経路を特徴とする構造である。
以上の構成から成る、擦弦楽器に於ける駒振動の新伝達経路。
【請求項２】
擦弦楽器駒の裏面を使用し、駒上部の弦受け部３より下位置の中央にはハート型の穴１を有し、この穴１の上辺には突起Ｂを有し、前記突起Ｂから、その延長先の駒部分中央下部の近くまでの間へ、棒状の振動伝達部材を縦方向に設置し、この部材を力木Ｔと呼び、また、  垂直翼Ｅは、使用駒の大きさに合わせた適当大で、前記力木Ｔに対して縦木目に設ける自由型の形状をした部材であり、
前記力木Ｔ背部と前記垂直翼Ｅの下辺とを接着した状態を一部品として用い、擦弦楽器駒裏面側の中央へ、前記一部品を確実に設置するために、前記力木Ｔの上下二か所の形状に合わせて、且つ、振動伝達を考慮した有効な止め台Ｈを、駒裏面側の該当位置へ設ける事を特徴とする、前記一部品の設置工法である。
以上の構成から成る、擦弦楽器に於ける駒振動の新伝達経路。
【発明の詳細な説明】
【技術分野】
【０００１】  擦弦楽器駒の性能を、もっと高感度にして、全音域での音量斑を、従来の駒のみの場合よりも改善するための、新駒構造の提案に関する。
【背景技術】
【０００２】  従来の擦弦楽器の駒は、駒材を横木目に取り、駒形に加工して用い、他に開発する余地はないと考えられていたし、自分自身も無頓着でいたが…、本年秋に、偶然、平成８年以来、今までに無かった下記のハプニングを経験をした。
【特許文献１】特許は、先行案有りで取れなかった自案からの経験ではあるが……、（発明の名称）  三駒型一弦楽器  （提出日）  平成１５年１２月  ７日  （整理番号）  ３ＫＯＭＡ・１ＧＥＮ  （特許庁指定）  ９９９９９９９９９９  上記楽器の駒と、擦弦楽器駒との違いは、三駒とも駒足底を振動板に接着する構造であり、弦の引っ張り加減により、その度に音程を決定するため、駒に無理な力が掛かるが、第１号試作品より今日まで、横木目の駒でも割れたことは無かったのに、なぜか割れてしまった事から、その部分を接着して、強度を増すために細い棒状の部材を縦方向に貼り補強したら、音量が増していた事から…、  駒に力木を設ければ、音量が増すのでは…？  これが本発明の発端である。
【発明の開示】
【発明が解決しようとする課題】
【０００３】  従来の擦弦楽器の駒は、駒材を横木目に取っている構造のため、厳密には駒振動を振動板に伝達する感度は鈍いが、良音質を得られる事と、  縦木目駒の実験では振動伝達感度が直接過ぎるためか、音質面で問題が生じる傾向にある。
【課題を解決するための手段】
【０００４】  縦木目の駒は、音質が悪くなる事を実験したら予想通りのため、それならば、縦木目（棒状）細めの魂柱Ａを使用する方法は、少しは優るとは思うが、更に、前記魂柱Ａの背部と前記垂直翼Ｅの底辺とを接着した二点を、一部品として用いる（００２１）記載の振動伝達感度抑制方式が、音質向上には大いに役立つ。
【発明の効果】
【０００５】  擦弦楽器の通常駒裏面側中央縦方向へ、前記溝Ｃを掘るだけでも、駒自体の振動がし易くなるためか、音量を向上させる変化があった。【０００６】  新たな縦木目（棒状）細めの前記魂柱Ａ・前記力木Ｔ等だけでも、確実に音量は増すが、まだ、少し音質面では気になるので、前記垂直翼Ｅを追加した、前述の一部品の方が、今回の発端案よりも音量的・音質的にも向上していると思う。【０００７】  一部品の前記魂柱Ａ下部のＶ字形カット形状は、前記力木Ｄへの接続時に、その振動を左右へ伝達し易くする意図で、これに続く前記力木Ｆから両駒足２付近まで振動伝達する構造であるが、  事実、本発明の上記工程を一つ進めるごとにその効果が確認され、バイオリンならば４段階・チェロならば５段階の向上を確認したが…、しかし…、本発明の振動伝達経路を有する擦弦楽器新駒の最大の特徴は、「全音域での音量斑を最小限にする」即ち、全音平均に良く鳴る事であるが、上記の実験に使用した楽器は、安価なキットの組み立て品５本・自作品バイオリン・チェロ等２本のみの実験結果のためか？  もし、高級・超高級品でも同じ結果を得る事が出来るか？  答えを知りたいが高級楽器入手は困難である。
【発明を実施するための最良の形態】
【０００８】  前記力木Ｔは、前記突起Ｂから、その延長先の駒部分中央下部の近くまでの間へ設置する棒状の部材であり、前記魂柱Ａの代用部品として（請求項２）でのみ使用し、  前記垂直翼Ｅは、使用駒の大きさに合わせた適当大・自由型であり、上記の二部材を接着した状態で、前記一部品として用いる。【０００９】  本発明で試作した前記（魂柱Ａ・力木Ｄ・力木Ｔ）等には、竹串３ｍｍ×３，４ｍｍ角を加工して用い、竹串使用の理由は気温・湿度等の影響を極力避けるためであり、勿論、木製部品使用も可能であり、また、前記垂直翼Ｅには通常の駒材が望ましいが、実験では建材を代用し、尚、図面の塗り潰しは木目の方向を示す。【００１０】  本発明の「第１・第２実施例」の違いは、前記突起Ｂ（横木目）切断の有無のみであり、切断有りの「第２実施例」の方が、前記魂柱Ａ（縦木目）を長く出来るので、理論上では有利かと思いたいが、両実施例共に音量斑は感じない程に少なく、良く鳴って微差であるため、計器無しの個人的感覚では結論が出ない。
【実施例】
【００１１】  本発明の実施例について図面を参照して説明する。【００１２】  「請求項２」は、前記力木Ｔと前記垂直翼Ｅとを接着した前記一部品を用いたバイオリンでの実験では、前述の擦弦楽器駒裏面側縦方向へ、設置する前記力木Ｔのサイズは、厚さ２ｍｍ・横幅３ｍｍ弱・長さ１９ｍｍ程度の振動伝達部材であり、
前記垂直翼Ｅは、自由形・この試作品は長さ２５ｍｍ・高さ１６ｍｍの二山型・厚さは底辺部は２，８ｍｍ・上辺部厚１，９ｍｍ程度で、前記力木Ｔ背部との底部側接続部は１５ｍｍ程度であり、  尚、上記は、全試作品７本の使用駒の高さに合わせた「一例」であり、チェロは別にして、他の５本も「およそ」のサイズで、全てが目分量のため、今後の研究は必要になるので目安とする。（図１・図１０）【００１３】  チェロ駒の場合も上記と同様の構造のためサイズのみ記入すると、前記力木Ｔは、厚さ３ｍｍ・横幅３ｍｍ弱・長さ３１ｍｍ程度の振動伝達部材であり、また…、
前記垂直翼Ｅは、自由形で、実験では長さ４７ｍｍ・高さ２９ｍｍの二山型・厚さは底辺部２，４ｍｍ・上辺部厚１，９ｍｍ程度で、底部側接続部は２８ｍｍの形状であり、  尚、図３での前記垂直翼Ｅは、一部品のため省略した。（図２・図３）【００１４】  前記力木Ｔの背部に前記垂直翼Ｅの底辺を接着した場合も、二点接着状態で一部品となり（図１・図２）、前記一部品としての力木Ｔを直接に駒裏中央へ接着して、更に、この下部と横止め台Ｈ（前記力木Ｄと同じ）の中央部とを接続する構造は（図３太線部）、効果有りと結論し、  また、前記止め台Ｈの方を高くして、この上部に縦止め台Ｈ・下部に横止め台Ｈ（前記力木Ｄと同じ）を設け、この二点でのみ前記力木Ｔを挟み固定した場合の前記力木Ｔは、魂柱Ｔとなるが、
現在は未実験のため、その効果については不明である。（図３実線・図８）【００１５】  「請求項１」は、本発明の究極案であり、使用駒裏面側のハート形穴１の下縁から、その延長先の駒部分中央下部近くまで、前記魂柱Ａ用の前記溝Ｃを掘り、深さ上側２ｍｍ〜下側３ｍｍ以内程にして、この下部壁を前記魂柱Ａ下側のＶ字形に合わせ、前記力木Ｄは、深さ２ｍｍ程の前記溝Ｃを掘り、その中央接続部のＶ字形と前記魂柱Ａ下側接続部とは確実に合わせる構造であり、  尚、前記力木Ｄの長さは両駒足２位置までとして、そのセット時は、駒の表面より１ｍｍ程度突出する形状である。（図４・図７）【００１６】  前記魂柱Ａは、その先端部分を前記突起Ｂ先端と接続し、末端は、前記力木Ｄ中央接続部には確実に接続するが、前記溝Ｃ下部分には可能な限り接続して、
前記魂柱Ａ自体は、上述の接続部以外は前記溝Ｃの縁・底等には接触せずに自由振動可能な状態で使用する部品である。（図５・図６・図７・図９）【００１７】  前記魂柱Ａの先端部分と前記突起Ｂ先端との接続部は、前記魂柱Ａの先端部分の角度を（図７・図９）より少し浅めにして、セット時に前記魂柱Ａの先端部底辺が、前記突起Ｂ先端接続部分に少し入りかけ、そのまま押し込めば、角度の差で前記魂柱Ａ上下の突っ張り度を増して固定され、前記突起Ｂ先端接続部の角度も前記魂柱Ａをセットした時に、その両先端部が極力合うように加工する事で、前記一部品としての前記魂柱Ａの、着脱式構造は完成するが、最終的には…、
何度も繰り返せば緩くなるので、接着固定式になると思う。（図７・図９）【００１８】  前記魂柱Ａ前後を固定して自由振動可能な状態にするために、幅３，４ｍｍの前記魂柱Ａを入れるには、少しきついくらいの幅の前記溝Ｃを堀り、その末端を前述のＶ字形に加工してから、竹串３，４ｍｍ幅を背部にした前記魂柱Ａの長さを正確に取り、前記魂柱Ａ固定部分以外の両側面を０，２ｍｍ程削り落として、部分的には３ｍｍ角の前記魂柱Ａを完成させる。（図５・図６・図７・図９）【００１９】  チェロの場合、上記バイオリンの「第１実施例」（図４・図５・図６）の要領で、前記溝Ｃ・前記魂柱Ａ・前記力木Ｄ等を同様に設置して、更に、チェロ駒のように駒足２が長い場合は、前記力木Ｄの両端の上を通して、前記力木Ｆ二本を組み合わせて接続し、本実験駒での前記力木Ｆには直径２，５ｍｍ・長さ５３ｍｍ程の丸竹串の底面を平らに加工して接着する構造ある。（図９・図１１・図１２）【００２０】  チェロの「第２実施例」は、前記ハート形の穴１が縦長のため、前記突起Ｂの大部分を切断し、その分、前記魂柱Ａ自体を長く取れる長所があり、前記魂柱Ａの先端部分の角度は（図７・図９）よりも少し浅めにとり、前記魂柱Ａのセット時に、前記突起Ｂ切断部の角度も、前記魂柱Ａの先端面に合わせる事だけが、バイオリンの「第１実施例」との相違点である。（図９・図１１・図１２）【００２１】  前記垂直翼Ｅのサイズは、（００１２・００１３）に記載してあるが、この部品は、擦弦楽器駒の裏面へ、棒状の前記魂柱Ａ設置で、駒振動伝達感度は向上するものの、音質面に問題が生ずるので、前述の前記魂柱Ａ・前記力木Ｔ等の棒状部品の振動伝達感度を適度に抑制し、音質向上することが目的の部品であり、その厚さの違いで、効果が変化するかは実験数が少ないため不明であるが、現状のサイズでも一応の効果は有りと判定し、特に外見感は、二つの丸穴を繋ぐ切り込みには、和やかな笑顔を連想出来るので、自分では、好感を持てるものと思う。（図１・図２・図１０・図１１）
【図面の簡単な説明】
【図１】  バイオリン駒・力木Ｔ・垂直翼Ｅ等の接続状態説明図である。
【図２】  横倒しチェロ駒・力木Ｔ・垂直翼Ｅ等の接続状態説明図である。
【図３】  チェロ駒裏面中央力木Ｔ設置で、垂直翼Ｅ省略の正面図である。
【図４】  バイオリン駒に魂柱Ａ・力木Ｄ用の溝Ｃを掘った正面図である。
【図５】  バイオリン駒に魂柱Ａ・力木Ｄ・溝Ｃ等設置後の正面図である。
【図６】  バイオリン駒に魂柱Ａ・力木Ｄ・溝Ｃ等設置拡大正面図である。
【図７】  横倒しバイオリン駒に第１実施例魂柱Ａ・力木Ｄ・溝Ｃ等の駒中央部側面を示すための断面図である。
【図８】  駒裏側へ両止め台Ｈで挟み固定した魂柱Ｔ設置方説明図である。
【図９】  横倒しチェロ駒・魂柱Ａ・力木Ｄ・溝Ｃ等の駒中央部側面を示すための断面図である。
【図１０】  バイオリン駒・第１実施例魂柱Ａ・垂直翼Ｅ・溝Ｃ等の設置状態を説明するための駒中央部の断面図ある。
【図１１】  チェロ駒・第２実施例魂柱Ａ・垂直翼Ｅ・溝Ｃ等設置状態を説明する駒中央部の断面図である。
【図１２】  チェロ駒の突起Ｂ切断面に接続する第２実施例の魂柱Ａ・力木Ｄ・力木Ｆ・溝Ｃ等の設置説明図であるが、垂直翼Ｅは魂柱Ａとの一部品のため省略した。
【符号の説明】Ａ………………魂柱
Ｂ………………突起
Ｃ………………溝
Ｄ………………力木
Ｅ………………垂直翼
Ｆ………………力木
Ｔ………………力木
Ｈ………………力木Ｔの止め台
１………………ハート形穴
２………………駒足
３………………弦受け部
【図１】
2019109449.tif 000003
【図２】
2019109449.tif 000004
【図３】
2019109449.tif 000005
【図４】
2019109449.tif 000006
【図５】
2019109449.tif 000007
【図６】
2019109449.tif 000008
【図７】
2019109449.tif 000009
【図８】
2019109449.tif 000010
【図９】
2019109449.tif 000011
【図１０】
2019109449.tif 000012
【図１１】
2019109449.tif 000013
【図１２】
2019109449.tif 000014